(57)【要約】【課題】複数のデバイス毎の状況に応じた電源制御を個別に行う。【解決手段】撮影した画像を処理する画像処理用デバイス２００と、撮影の際に露出を調整する露出調整デバイス２１０と、各種設定値を記憶する設定記憶デバイス２２０と、ユーザー操作を検出し制御を行う操作制御デバイス２３０と、からなるデバイス群を有するデジタルカメラ１の電力制御回路１００において、電力制御回路は、デバイス群への電力供給を個別のデバイス毎に制御する。【選択図】図１
2007306180.tif 000002
【特許請求の範囲】
【請求項１】
撮影した画像を処理する画像処理デバイスと、撮影の際に露出を調整する露出調整デバイスと、各種設定値を記憶する設定記憶デバイスと、ユーザー操作を検出し制御を行う操作制御デバイスと、からなるデバイス群を有するカメラの電力制御回路において、
前記電力制御回路は、前記デバイス群への電力供給を個別のデバイス毎に制御する、
ことを特徴とするカメラの電力制御回路。
【請求項２】
請求項１に記載のカメラの電力制御回路において、前記電力制御回路は、前記カメラの動作モードが再生モードである場合、前記露出調整デバイスの電源遮断を行う、ことを特徴とするカメラの電力制御回路。
【請求項３】
請求項１または２に記載のカメラの電力制御回路において、前記電力制御回路は、前記操作制御デバイスが所定の時間以上ユーザー操作を検出しなかった場合、省電力モードに移行する、ことを特徴とするカメラの電力制御回路。
【請求項４】
請求項１から３のいずれか一項に記載のカメラの電力制御回路において、前記電力制御回路は、前記省電力モードに移行した場合、前記画像処理デバイスの電源遮断と、前記露出調整デバイスの電源遮断と、前記設定記憶デバイスの電源遮断と、前記操作制御デバイスの電源遮断と、を順次行う、ことを特徴とするカメラの電力制御回路。
【請求項５】
請求項１から４のいずれか一項に記載のカメラの電力制御回路において、前記電力制御回路は、前記省電力モードに移行し前記画像処理デバイスの電源遮断を行う際、前記画像処理デバイスの動作状況確認を行い、前記画像処理デバイスが動作中でない場合、前記画像処理デバイスの電源遮断を行い、前記画像処理デバイスが動作中である場合、ｍ秒間隔（ｍは任意の正の実数）で前記動作状況確認を行い、前記動作状況確認の回数がｎ回（ｎは任意の自然数）に達したら強制的に前記画像処理デバイスの電源遮断を行う、ことを特徴とするカメラの電力制御回路。
【請求項６】
請求項１から５のいずれか一項に記載のカメラの電力制御回路において、前記電力制御回路は、前記省電力モードに移行した場合、前記電力制御回路の動作クロック周波数を落とす、ことを特徴とするカメラの電力制御回路。
【請求項７】
請求項１から６のいずれか一項に記載のカメラの電力制御回路において、前記電力制御回路は、さらに、前記カメラの電源電圧を検出する電源電圧検出部と、前記カメラの内部温度を検出する内部温度検出部と、を有し、前記電源電圧検出部は、ｐ秒間隔（ｐは任意の正の実数）毎に電源電圧値を検出し、最新の前記電源電圧値からｑ回分（ｑは任意の自然数）前までの前記電源電圧値の平均値を算出し平均電圧値として更新し保存し、前記内部温度検出部は、ｒ秒間隔（ｒは任意の正の実数）毎に内部温度値を検出し、最新の前記内部温度値からｓ回分（ｓは任意の自然数）前までの前記内部温度の平均値を算出し平均温度値として更新し保存し、前記平均電圧値が前記設定記憶デバイスに記憶してある規定電圧値を超えた場合、または、前記内部温度値が前記設定記憶デバイスに記憶してある規定内部温度値を超えた場合、前記デバイス群のすべてのデバイスの電源遮断を行う、ことを特徴とするカメラの電力制御回路。
【請求項８】
請求項７に記載のカメラの電力制御回路において、前記電力制御回路は、前記省電力モードに移行した場合、前記電圧検出部と前記内部温度検出部の検出間隔時間を通常動作時よりも長くする、ことを特徴とするカメラの電力制御回路。
【請求項９】
請求項１から８のいずれか一項に記載のカメラの電力制御回路において、前記電力制御回路は、前記省電力モードに移行後、さらに所定時間が経過した場合、ユーザー操作のみを監視するディープスリープモードに移行する、ことを特徴とするカメラの電力制御回路。
【発明の詳細な説明】
【技術分野】
【０００１】
本発明は、省電力モードを備えたカメラの電力制御回路に関する。
【背景技術】
【０００２】
従来のバッテリーで駆動するデジタルカメラなどの電子機器は、所定時間が経過すると電源回路を除くデバイスの電力供給を停止し、可能な限り低電力で動作するように設計されている。しかしながら、再び動作状態に移行するためにすべてのデバイスに電力を供給し立ち上げるのに時間がかかってしまう、という問題があった。
【０００３】
この問題を解決するために、例えば特許文献１には、省電力モードに移行するにあたり、揮発性記憶デバイスをセルフリフレッシュモードにしておくことでメモリの状態を保持し、次回電源投入時に必要とする起動時間を短縮する方法が記載されている。
【０００４】
【特許文献１】特開２００５−１７３６２０号公報
【発明の開示】
【発明が解決しようとする課題】
【０００５】
しかしながら、特許文献１では、デジタルカメラを構成するデバイスの電源制御は、再生モードまたは撮影モードのどちらのモードであっても一括して行っているため、不要なデバイスにも電源が投入されてしまう、という問題がある。
【０００６】
本発明は、このような事情に鑑みてなされたものであり、省電力モードへの以降処理において、電子機器を構成する複数のデバイス毎の状況に応じた電源制御を個別に行うことができ、各デバイスの誤動作を抑制してデータを保護しながら省電力モードに移行できるカメラの電力制御回路を提供することを目的とするものである。
【課題を解決するための手段】
【０００７】
＜発明１＞
上記課題を解決するために、本発明のカメラの電力制御回路では、撮影した画像を処理する画像処理デバイスと、撮影の際に露出を調整する露出調整デバイスと、各種設定値を記憶する設定記憶デバイスと、ユーザー操作を検出し制御を行う操作制御デバイスと、からなるデバイス群を有するカメラの電力制御回路において、前記電力制御回路は、前記デバイス群への電力供給を個別のデバイス毎に制御することを要旨とする。
【０００８】
この構成によれば、デバイス毎に電力供給を制御することができるので、カメラの動作状態に応じて必要のないデバイスから順次電源遮断を行うことができるので、省電力モードへの移行時間を短縮し、効率的に低消費電力化を図ることができる。
【０００９】
＜発明２＞
また、本発明のカメラの電力制御回路では、前記電力制御回路は、前記カメラの動作モードが再生モードである場合、前記露出調整デバイスの電源遮断を行う。
【００１０】
この構成によれば、再生モードでは必要のない露出調整デバイスの電源を遮断できるので、再生モード時の低消費電力化を図ることができる。
【００１１】
＜発明３＞
また、本発明のカメラの電力制御回路では、前記電力制御回路は、前記操作制御デバイスが所定の時間以上ユーザー操作を検出しなかった場合、省電力モードに移行する。
【００１２】
この構成によれば、ユーザー操作が所定時間以上無かった場合に、省電力モードに移行できるので、低消費電力化を図ることができる。
【００１３】
＜発明４＞
また、本発明のカメラの電力制御回路では、前記電力制御回路は、前記省電力モードに移行した場合、前記画像処理デバイスの電源遮断と、前記露出調整デバイスの電源遮断と、前記設定記憶デバイスの電源遮断と、前記操作制御デバイスの電源遮断と、を順次行う。
【００１４】
この構成によれば、省電力モードに移行した際に、デバイス毎に電源遮断を行うことができるので、省電力モードへの移行時間を短縮し、効率的に低消費電力化を図ることができる。
【００１５】
＜発明５＞
また、本発明のカメラの電力制御回路では、前記電力制御回路は、前記省電力モードに移行し前記画像処理デバイスの電源遮断を行う際、前記画像処理デバイスの動作状況確認を行い、前記画像処理デバイスが動作中でない場合、前記画像処理デバイスの電源遮断を行い、前記画像処理デバイスが動作中である場合、ｍ秒間隔（ｍは任意の正の実数）で前記動作状況確認を行い、前記動作状況確認の回数がｎ回（ｎは任意の自然数）に達したら強制的に前記画像処理デバイスの電源遮断を行う。
【００１６】
この構成によれば、省電力モードに移行する際に、画像処理デバイスが処理中であっても処理が終わるのを待って速やかに電源遮断を行うことができ、所定の回数以上確認ができなかった場合、異常であると判断し速やかに電源遮断を行うことができるので、効率的に低消費電力化を図ることができる。
【００１７】
＜発明６＞
また、本発明のカメラの電力制御回路では、前記電力制御回路は、前記省電力モードに移行した場合、前記電力制御回路の動作クロック周波数を落とす。
【００１８】
この構成によれば、省電力モードに移行後、電力制御回路の動作クロック周波数を落とすことにより、電力制御回路自体の消費電力を抑えることができるので、効率的に低消費電力化を図ることができる。
【００１９】
＜発明７＞
また、本発明のカメラの電力制御回路では、前記電力制御回路は、さらに、前記カメラの電源電圧を検出する電源電圧検出部と、前記カメラの内部温度を検出する内部温度検出部と、を有し、前記電源電圧検出部は、ｐ秒間隔（ｐは任意の正の実数）毎に電源電圧値を検出し、最新の前記電源電圧値からｑ回分（ｑは任意の自然数）前までの前記電源電圧値の平均値を算出し平均電圧値として更新し保存し、前記内部温度検出部は、ｒ秒間隔（ｒは任意の正の実数）毎に内部温度値を検出し、最新の前記内部温度値からｓ回分（ｓは任意の自然数）前までの前記内部温度の平均値を算出し平均温度値として更新し保存し、前記平均電圧値が前記設定記憶デバイスに記憶してある規定電圧値を超えた場合、または、前記内部温度値が前記設定記憶デバイスに記憶してある規定内部温度値を超えた場合、前記デバイス群のすべてのデバイスの電源遮断を行う。
【００２０】
この構成によれば、内部電圧が規定値よりも低下したり、内部温度が規定値よりも上昇したことを判定する際、平均値で判断できるので、ノイズなどにより一時的に変化した値だけで判断し電源遮断を行ってしまう誤動作を防ぐことができ、効率的に低消費電力化を図ることができる。
【００２１】
＜発明８＞
また、本発明のカメラの電力制御回路では、前記電力制御回路は、前記省電力モードに移行した場合、前記電圧検出部と前記内部温度検出部の検出間隔時間を通常動作時よりも長くする。
【００２２】
この構成によれば、省電力モードに移行後、電圧検出部と内部温度検出部の検出間隔時間を長くすることにより、電力制御回路自体の消費電力を抑えることができるので、効率的に低消費電力化を図ることができる。
【００２３】
＜発明９＞
また、本発明のカメラの電力制御回路では、前記電力制御回路は、前記省電力モードに移行後、さらに所定時間が経過した場合、ユーザー操作のみを監視するディープスリープモードに移行する。
【００２４】
この構成によれば、省電力モード移行後も所定時間以上ユーザー操作がなければディープスリープモードに移行できるので、効率的に低消費電力化を図ることができる。
【発明を実施するための最良の形態】
【００２５】
以下、本発明を具体化した実施形態について図面に従って説明する。
（第１実施形態）
【００２６】
＜カメラの電力制御回路の構成＞
まず、第１実施形態に係るカメラの電力制御回路の構成について、図１を参照して説明する。図１は、本発明の第１実施形態に係るカメラの電力制御回路の構成を示すブロック図である。図１に示すように、デジタルカメラ１は、電力制御回路１００と、画像処理用デバイス２００と、露出調整デバイス２１０と、ＥＥＰＲＯＭなどの不揮発性メモリで構成された設定記憶デバイス２２０と、操作制御デバイス２３０と、から構成されている。
【００２７】
画像処理用デバイス２００は、レンズ２０８から入ってきた光の情報をデジタルデータに変換するＣＭＯＳイメージセンサなどの撮像素子２０６と、撮影中の画像をモニタしたり、撮影した画像を確認するＬＣＤ（Liquid Crystal Display）２０２と、撮影した画像データを保存するメモリカード２０４と、が接続されている。
【００２８】
操作制御デバイス２３０は、シャッター２３２や、再生／撮影などの動作モードを切替えるモード切替スイッチ２３４などのユーザーインターフェースが接続され、ユーザーによる操作を監視し、操作に従った制御を行う。
【００２９】
設定記憶デバイス２２０は、デジタルカメラ１の出荷時の各種設定値や、ユーザーインターフェースからの設定値などが保存されており、電源オフ後も不揮発性メモリに値を保存できる。
【００３０】
電力制御回路１００は、電力制御回路１００と画像処理用デバイス２００と露出調整デバイス２１０と設定記憶デバイス２２０と相互に接続され情報交換を行ったり、電源供給を行ったりすることができる。また、電力制御回路１００は、デジタルカメラ１の内部の温度を測定する温度センサ２４０と、デジタルカメラ１の内蔵電源の電圧値を測定する電圧センサ２５０とも接続され、Ａ／Ｄ変換回路（図示しない）を介して電源電圧値と内部温度値を取得することができる。
【００３１】
＜動作モード切替時の動作＞
次に、動作モード切替時の電力制御回路の動作について図２を参照して説明する。図２は、動作モード切替時の電力制御回路の動作を説明するフローチャート図である。
【００３２】
先ず、ステップＳ１００では、電力制御回路１００は、モード切替スイッチ２３４の状態が切替わったことを操作制御デバイス２３０から通知を受ける。
【００３３】
次に、ステップＳ１０２では、モード切替スイッチ２３４の状態が再生モードであるか否かを判定し、再生モードである場合、ステップＳ１０４に移行し、再生モードでない（撮影モードである）場合、ステップＳ１０６に移行する。
【００３４】
次に、ステップＳ１０４では、電力制御回路１００は、露出調整デバイス２１０に対する電力供給を遮断する。
【００３５】
一方、ステップＳ１０６では、電力制御回路１００は、露出調整デバイス２１０に対する電力供給を再開する。
【００３６】
＜省電力モード移行時の動作＞
次に、省電力モード移行時の電力制御回路の動作について図３を参照して説明する。図３は、省電力モード移行時の電力制御回路の動作を説明するフローチャート図である。
【００３７】
先ず、ステップＳ２００では、操作制御デバイス２３０からユーザー操作に関する通知が来なくなってから所定時間（例えば１分）が経過したか否かを判定し、経過した場合は、ステップＳ２０２に移行し、経過していない場合は、待機する。
【００３８】
次に、ステップＳ２０２では、電力制御回路１００は、画像処理用デバイス２００に現在の状態を問い合わせる。
【００３９】
次に、ステップＳ２０４では、画像処理用デバイス２００が処理中であるか否かを判定し、処理中である場合、ステップＳ２０６に移行し、処理中でない場合、ステップＳ２１０に移行する。
【００４０】
次に、ステップＳ２０６では、画像処理用デバイス２００への問合せ回数がｎ回以上（例えばｎ＝１０回）であるか否かを判定し、ｎ回以上の場合、ステップＳ２１０に移行し、ｎ回未満の場合、ステップＳ２０８に移行する。
【００４１】
次に、ステップＳ２０８では、ｍ秒間（例えばｍ＝３秒）ウェイトし、ステップＳ２０２に移行する。
【００４２】
一方、ステップＳ２１０では、電力制御回路１００は、画像処理用デバイス２００に対する電力供給を遮断する。
【００４３】
次に、ステップＳ２１２では、電力制御回路１００は、露出調整デバイス２１０に対する電力供給を遮断する。
【００４４】
次に、ステップＳ２１４では、電力制御回路１００は、設定記憶デバイス２２０に対する電力供給を遮断する。
【００４５】
次に、ステップＳ２１６では、電力制御回路１００は、操作制御デバイス２３０に対する電力供給を遮断する。
【００４６】
次に、ステップＳ２１８では、電力制御回路１００は、操作制御デバイス２３０からのユーザー操作に対する割り込みのみを残し、画像処理用デバイス２００と露出調整デバイス２１０と設定記憶デバイス２２０からの割り込みを禁止する。
【００４７】
次に、ステップＳ２２０では、電力制御回路１００は、電力制御回路１００の動作クロック周波数を低クロックに変更する。
【００４８】
次に、ステップＳ２２２では、電力制御回路１００は、温度センサ２４０からの温度検出期間（ｐ秒）と電圧センサ２５０からの電圧検出期間（ｒ秒）を長く設定する。
【００４９】
次に、ステップＳ２２４では、ディープスリープモードに移行するまでの時間を計測するタイマを起動する。
【００５０】
＜平均電圧値を求める動作＞
次に、電力制御回路の平均電圧値を求める動作について図４を参照して説明する。図４は、電力制御回路の平均電圧値を求める動作を説明するフローチャート図である。本実施形態では、ｑ回分（例えばｑ＝１０）の電圧値を保持するために、設定記憶デバイス２２０にｑ個の電圧値テーブルを設定し、新しい電圧値を取得するたびに、１番目からｑ−１番目の電圧値テーブルを２番目からｑ番目の電圧値テーブルに下方向にシフトし、１番目の電圧値テーブルに新しい電圧値を入力する方法を行う。
【００５１】
先ず、ステップＳ３００では、ｐ秒間（例えばｐ＝３０秒）ウェイトし、ステップＳ３０２に移行する。
【００５２】
次に、ステップＳ３０２では、電力制御回路１００は、電圧センサ２５０から電圧値を取得する。
【００５３】
次に、ステップＳ３０４では、電圧値テーブルを下方向に１段シフトする。
【００５４】
次に、ステップＳ３０６では、ステップＳ３０２で取得した電圧値を電圧値テーブルの１番目に入力する。
【００５５】
次に、ステップＳ３０８では、電圧値テーブルから平均電圧値を算出する。
【００５６】
次に、ステップＳ３１０では、Ｓ３０８で算出した平均電圧値が、規定電圧値よりも低いか否か判定し、低い場合は、ステップＳ３１２に移行し、低くない場合は、ステップＳ３００に移行する。
【００５７】
次に、ステップＳ３１２では、平均電圧が規定電圧値よりも低いので、デジタルカメラ１の処理を正常に行うことができないと判断し、電力制御回路１００は、全デバイスへの電源供給を遮断する。
【００５８】
＜平均温度値を求める動作＞
次に、電力制御回路の平均温度値を求める動作について図５を参照して説明する。図５は、電力制御回路の平均温度値を求める動作を説明するフローチャート図である。本実施形態では、ｓ回分（例えばｓ＝１０）の温度値を保持するために、設定記憶デバイス２２０にｓ個の温度値テーブルを設定し、新しい温度値を取得するたびに、１番目からｓ−１番目の温度値テーブルを２番目からｓ番目の温度値テーブルに下方向にシフトし、１番目の温度値テーブルに新しい温度値を入力する方法を行う。
【００５９】
先ず、ステップＳ４００では、ｒ秒間（例えばｒ＝３０秒）ウェイトし、ステップＳ４０２に移行する。
【００６０】
次に、ステップＳ４０２では、電力制御回路１００は、温度センサ２４０から温度値を取得する。
【００６１】
次に、ステップＳ４０４では、温度値テーブルを下方向に１段シフトする。
【００６２】
次に、ステップＳ４０６では、ステップＳ４０２で取得した温度値を温度値テーブルの１番目に入力する。
【００６３】
次に、ステップＳ４０８では、温度値テーブルから平均温度値を算出する。
【００６４】
次に、ステップＳ４１０では、Ｓ４０８で算出した平均温度値が、規定温度値よりも高いか否か判定し、高い場合は、ステップＳ４１２に移行し、高くない場合は、ステップＳ４００に移行する。
【００６５】
次に、ステップＳ４１２では、平均温度が規定温度値よりも高いので、デジタルカメラ１の処理を正常に行うことができないと判断し、電力制御回路１００は、全デバイスへの電源供給を遮断する。
【００６６】
以上に述べた前記実施形態によれば、以下の効果が得られる。
【００６７】
本実施形態では、デジタルカメラ１を構成する各デバイスの電源を管理する電源制御回路１００を用いることにより、デジタルカメラ１の状態に応じたデバイス毎の電源供給を制御できる。例えば、従来の１つの電源回路ですべてのデバイスへの電力供給をするデジタルカメラでは、すべてのデバイスが電源遮断可能な状態になるのを待ってから電源遮断を行っていた。しかし、デバイス毎に電源制御することで、省電力モードへの移行時間を短縮することができる。例えば、デジタルカメラが再生状態から省電力モードに移行する場合には、撮影モードでしか使用しない露出調整デバイス２１０への電力供給を予め遮断しておくことができるので、より迅速に省電力モードに移行することが可能になる。
【００６８】
また、電源制御回路１００は、電源電圧異常や温度異常を検出すると、安全性の理由で自身の電源を遮断できる。これら電圧値、温度値を検出する時間間隔を、電圧や温度が変動しやすい通常モード時は短い間隔で、変動しにくい省電力モードでは長い間隔にすることで、省電力モードにおける検出稼働率を下げることができ、低消費電力化を図ることができる。
【００６９】
以上、本発明の実施形態を説明したが、本発明はこうした実施の形態に何ら限定されるものではなく、本発明の趣旨を逸脱しない範囲内において様々な形態で実施し得ることができる。以下、変形例を挙げて説明する。
【００７０】
（変形例１）本発明に係るカメラの電力制御回路の第１変形例について説明する。前記第１実施形態では、電力制御回路１００により、省電力モードに移行時にデバイス毎に電源遮断を行うため、例えば、画像処理用デバイス２００がまだ画像を処理中であり、電源を遮断できない状態の時は、再度電源を遮断してよいか問い合わせるタイムアウトまでの間（ｍ×ｎ秒）に、その他のデバイス、例えば、設定記憶デバイス２２０や操作制御デバイス２３０の電源を遮断するようにしてもよい。この方法を適用すれば、より迅速に省電力モードに移行することが可能になる。
【図面の簡単な説明】
【００７１】
【図１】第１実施形態に係るカメラの電力制御回路の構成を示すブロック図。
【図２】動作モード切替時の電力制御回路の動作を説明するフローチャート図。
【図３】省電力モード移行時の電力制御回路の動作を説明するフローチャート図。
【図４】電力制御回路の平均電圧値を求める動作を説明するフローチャート図。
【図５】電力制御回路の平均温度値を求める動作を説明するフローチャート図。
【符号の説明】
【００７２】
１…デジタルカメラ、１００…電力制御回路、２００…画像処理用デバイス、２０２…ＬＣＤ、２０４…メモリカード、２０６…撮像素子、２０８…レンズ、２１０…露出調整デバイス、２２０…設定記憶デバイス、２３０…操作制御デバイス、２３２…シャッター、２３４…モード切替スイッチ、２４０…温度センサ、２５０…電圧センサ。
【図１】
2007306180.tif 000003
【図２】
2007306180.tif 000004
【図３】
2007306180.tif 000005
【図４】
2007306180.tif 000006
【図５】
2007306180.tif 000007